(57)【要約】【課題】本発明の目的は、コンピュータの記憶容量を拡張できると共に、マザーボードのスロットを多数設置しなくてもよい拡張カードを提供することである。【解決手段】本発明に係る拡張カードは、板体を備える。板体には、メインチップ、複数の内部記憶チップ、及びメインチップに接続されている複数のハードディスク記憶チップが設けられ、板体の底辺には、マザーボードのスロット内に挿入される第一ボードエッジコネクタが設けられ、第一ボードエッジコネクタは、複数の第一電源ピン、複数の第一接地ピン、及び複数の第一信号ピンを含み、板体の１つの側辺には、当該板体と同一平面上に位置する延伸部が延在し、前記延伸部には、第二ボードエッジコネクタが設けられる。第二ボードエッジコネクタは、マザーボードの接続部品と通信する。【選択図】図３
2016014953.tif 000002
【特許請求の範囲】
【請求項１】
板体を備える拡張カードであって、
前記板体には、メインチップ、複数の内部記憶チップ、及び前記メインチップに接続されている複数のハードディスク記憶チップが設けられ、
前記板体の底辺には、マザーボードのスロット内に挿入される第一ボードエッジコネクタが設けられ、前記第一ボードエッジコネクタは、複数の第一電源ピン、複数の第一接地ピン及び複数の第一信号ピンを含み、
前記第一電源ピンは、前記内部記憶チップ、前記ハードディスク記憶チップ及び前記メインチップに接続され、前記第一接地ピンは、前記板体の接地層に接続され、前記第一信号ピンは、前記内部記憶チップに接続され、
前記板体の１つの側辺には、前記板体と同一平面に位置する延伸部が延在しており、前記延伸部には、第二ボードエッジコネクタが設けられ、
前記第二ボードエッジコネクタは、複数の第二信号ピン及び複数の第二接地ピンを含み、
前記第二信号ピンは、前記メインチップに接続され、前記第二接地ピンは、前記板体の接地ピンに設けられ、前記第二ボードエッジコネクタは、前記マザーボードの接続部品と通信することを特徴とする拡張カード。
【請求項２】
前記延伸部及び前記第二ボードエッジコネクタは、記憶装置向けのコネクタを構成し、前記コネクタは、ＳＡＴＡ標準規格に適合していることを特徴とする、請求項１に記載の拡張カード。
【請求項３】
前記第二信号ピンは、１対の信号入力ピン及び１対の信号出力ピンを含み、前記第二接地ピンの数は三つであることを特徴とする、請求項１に記載の拡張カード。
【請求項４】
前記内部記憶チップは、前記板体の正面に設けられ、且つ電子装置のメモリカードの記憶チップと同じものであり、前記ハードディスク記憶チップ及び前記メインチップは、前記板体の背面に設けられ、前記ハードディスク記憶チップは、ハードディスクの記憶チップと同じものであることを特徴とする、請求項１に記載の拡張カード。
【発明の詳細な説明】
【技術分野】
【０００１】
本発明は、拡張カードに関するものである。
【背景技術】
【０００２】
近年、ユーザのコンピュータのハードディスク容量及び内部記憶容量に対する要求は、益々高まっている。異なるユーザによって、ハードディスク容量及び内部記憶容量に対する需要も異なり、現在のコンピュータは、メモリ及びソリッドステートディスクを介して、ユーザの内部記憶容量及びハードディスク容量に対する要求を満たす。しかし、メモリ及びソリッドステートディスクは、コンピュータのマザーボードに設けられたスロットを占有する必要がある。従って、マザーボード上に、できるだけ多くのスロットを設けなければならないため、コストがかかり、マザーボード上の多くの空間も占有される場合がある。
【発明の概要】
【発明が解決しようとする課題】
【０００３】
以上の問題点に鑑みて、本発明は、コンピュータの記憶容量を拡張できると共に、マザーボードのスロットを多数設置しなくてもよい拡張カードを提供することを目的とする。
【課題を解決するための手段】
【０００４】
上記の課題を解決するために、本発明に係る拡張カードは、板体を備える。前記板体には、メインチップ、複数の内部記憶チップ及び前記メインチップに接続されている複数のハードディスク記憶チップが設けられ、前記板体の底辺には、マザーボードのスロット内に挿入される第一ボードエッジコネクタが設けられ、前記第一ボードエッジコネクタは、複数の第一電源ピン、複数の第一接地ピン及び複数の第一信号ピンを含み、前記第一電源ピンは、前記内部記憶チップ、前記ハードディスク記憶チップ及び前記メインチップに接続され、前記第一接地ピンは、前記板体の接地層に接続され、前記第一信号ピンは、前記内部記憶チップに接続され、前記板体の１つの側辺には、前記板体と同一平面に位置する延伸部が延在し、前記延伸部には、第二ボードエッジコネクタが設けられ、前記第二ボードエッジコネクタは、複数の第二信号ピン及び複数の第二接地ピンを含み、前記第二信号ピンは、前記メインチップに接続され、前記第二接地ピンは、前記板体の接地ピンに設けられ、前記第二ボードエッジコネクタは、前記マザーボードの接続部品と通信する。
【発明の効果】
【０００５】
従来の技術と比較して、本発明において、マザーボードが出力するハードディスク信号は、コネクタを介して拡張カードの背面に設けられたハードディスク記憶ユニットに伝送されると共に、マザーボードが出力するメモリ信号は、スロット及び拡張カードの信号ピンを介して、拡張カードの正面に設けられた内部記憶ユニットに伝送される。これにより、マザーボードは、拡張カードのみを介して、ユーザの内部記憶容量及びハードディスク容量に対する要求を満たすことができる。また、本発明の拡張カードは、コストが低く、また、マザーボード上に多くのスロットを設置しなくてよいので、マザーボード上の多くの空間を占有することがない。
【図面の簡単な説明】
【０００６】
【図１】本発明の実施形態に係る拡張カードの正面を示す斜視図である。
【図２】本発明の実施形態に係る拡張カードの背面を示す斜視図である。
【図３】図１に示した拡張カードがマザーボードに接続された状態を示す図である。
【発明を実施するための形態】
【０００７】
図１〜図３に示したように、本発明の実施形態に係る拡張カード１００は、矩形の板体１０を備える。板体１０の正面には、内部記憶ユニットが設けられている。前記内部記憶ユニットは、複数の内部記憶チップ１１を含む。板体１０の背面には、ハードディスク記憶ユニットが設けられている。前記ハードディスク記憶ユニットは、メインチップ１９及びメインチップ１９に接続されている複数のハードディスク記憶チップ２０を含む。本実施形態において、内部記憶チップ１１は、一般のメモリカードの記憶チップと同じものである。記憶チップの例として、読み出し専用メモリ、ランダムメモリ又はキャッシュメモリ等が挙げられる。内部記憶チップ１１は、マザーボード２００のメモリとしてデータを格納する。ハードディスク記憶チップ２０は、一般のハードディスクの記憶チップと同じものである。記憶チップの例としては、フラッシュチップが挙げられる。ハードディスク記憶チップ２０は、マザーボード２００のハードディスクとしてデータを格納する。
【０００８】
板体１０の１つの側辺２１１には、板体１０と同一平面上に位置する延伸部１２が設けられている。延伸部１２には、ボードエッジコネクタ（ｂｏａｒｄ  ｅｄｇｅ  ｃｏｎｎｅｃｔｏｒ）１３が設けられている。ボードエッジコネクタ１３は延伸部１２と共同で記憶装置向けのコネクタ１１１を構成する。ボードエッジコネクタ１３は、複数の信号ピン及び複数の接地ピンを含む。前記信号ピンは、１対の信号入力ピン及び１対の信号出力ピンを含む。前記接地ピンの数は、三つである。前記信号入力ピン及び前記信号出力ピンは、板体１０に設けられた配線を介してメインチップ１９に接続されている。前記接地ピンは、板体１０の接地層（図示しない）に接続されている。
【０００９】
板体１０の底辺１６には、マザーボード２００のスロット２１０内に挿入されるボードエッジコネクタ１８が設けられている。ボードエッジコネクタ１８は、複数の電源ピン１８１、複数の接地ピン１８２、及び複数の信号ピン１８３を含む。電源ピン１８１は、内部記憶チップ１１、ハードディスク記憶チップ２０、及びメインチップ１９にそれぞれ接続されており、これらに動作電圧を供給する。接地ピン１８２は、板体１０の接地層に接続されており、信号ピン１８３は、内部記憶チップ１１に接続されている。板体１０の側辺２１１における延伸部１２の下方には、凹所１４がさらに設けられている。板体１０の他の１つの側辺１５における凹所１４に対応する位置には、もう１つの凹所２４が設けられている。
【００１０】
コネクタ１１１は、記憶装置の接続部品３に接続され、且つ接続部品３に接続されたケーブル４を介してマザーボード２００と通信する。本実施形態において、コネクタ１１１は、ＳＡＴＡ標準規格に適合している。接続部品３は、ＳＡＴＡコネクタである。変形例として、コネクタ１１１は、板体１０の他の側辺（例えば、側辺１５）に設けてられてもよい。
【００１１】
拡張カード１００を使用する場合、拡張カード１００のボードエッジコネクタ１８を、マザーボード２００のスロット２１０内に挿入して、拡張カード１００をマザーボード２００に接続する。この際、拡張カード１００の凹所１４及び２４が、スロット２１０に設けられた固定部品７と組み合わされるので、拡張カード１００をスロット２１０に固定することができる。次に、コネクタ１１１は、記憶装置の接続部品３内に挿入されて、コネクタ１１１のボードエッジコネクタ１３は、接続部品３内のピンと電気的に接続される。次いで、接続部品３は、ケーブル４の他端の接続部品５を介して、マザーボード２００に設けられた接続部品６に接続される。
【００１２】
マザーボード２００が起動されると、マザーボード２００が出力する電圧は、スロット２１０及び板体１０のボードエッジコネクタ１８の電源ピン１８１を経由して、拡張カード１００のメインチップ１９、内部記憶チップ１１、及びハードディスク記憶チップ２０に供給される。これと同時に、マザーボード２００が出力するメモリ信号は、スロット２１０及び板体１０のボードエッジコネクタ１８の信号ピン１８３を経由して、内部記憶チップ１１に供給されて、内部記憶チップ１１を制御してデータを読み書きさせる。マザーボード２００が出力するハードディスク制御信号は、接続部品６、接続部品５、ケーブル４、接続部品３及びコネクタ１１１のボードエッジコネクタ１３を介して拡張カード１００のメインチップ１９に伝送される。メインチップ１９は、受信したハードディスク制御信号に基づいて、ハードディスク記憶チップ２０を制御してデータを読み書きさせる。
【００１３】
上記の記載から分かるように、マザーボード２００が出力するハードディスク信号は、コネクタ１１１を介して拡張カード１００の背面に設けられたハードディスク記憶ユニットに伝送されると共に、マザーボード２００が出力するメモリ信号は、スロット２１０及び拡張カード１００の信号ピン１８３を介して、拡張カード１００の正面に設けられた内部記憶ユニットに伝送される。これにより、マザーボード２００は、拡張カード１００のみを介して、ユーザの内部記憶容量及びハードディスク容量に対する要求を満たすことができる。また、拡張カード１００は、コストが低く、またマザーボード２００上に多くのスロット２１０を設置しなくてよいので、マザーボード上の多くの空間を占有することがない。
【符号の説明】
【００１４】
４  ケーブル
３、５、６  接続部品
７  固定部品
１０  板体
１１  内部記憶チップ
１００  拡張カード
１１１  コネクタ
１２  延伸部
１３、１８  ボードエッジコネクタ
１４、２４  凹所
１５、２１１  側辺
１６  底辺
１８１  電源ピン
１８２  接地ピン
１８３  信号ピン
１９  メインチップ
２０  ハードディスク記憶チップ
２００  マザーボード
２１０  スロット
【図１】
2016014953.tif 000003
【図２】
2016014953.tif 000004
【図３】
2016014953.tif 000005